(57)【特許請求の範囲】
【請求項１】
軒先部分から軒下の外壁近傍まで延びる軒先部及び前記外壁に対して所定間隔をおいて対向配置された垂直壁部を有する軒先部材と、
前記外壁に固定された平坦な長尺状部材の基材及び前記基材の長手方向に沿って固定された高温膨張体を有する防火ダンパー部材と、を備え、
前記垂直壁部には前記垂直壁部と前記外壁との間の空間と連通する通気部が形成され、
前記高温膨張体は、前記基材の表面における前記通気部に対向する位置に配置された
ことを特徴とする軒天防火構造。
【請求項２】
請求項１に記載の軒天防火構造において、
前記基材には長手方向に沿って立上がり部が形成されていることを特徴とする軒天防火構造。
【請求項３】
請求項２に記載の軒天防火構造において、
前記立上がり部は、前記基材の長手方向の辺縁を折り曲げて形成されていることを特徴とする軒天防火構造。
【請求項４】
請求項１から請求項３のいずれかに記載の軒天防火構造において、
前記基材と前記外壁との間に配置され前記外壁の表面に配置される外壁材の上端を覆う水切り部材と、前記水切り部材のみを貫通して前記外壁に固定される第１貫通材と、前記基材及び前記水切り部材を貫通して前記外壁に固定される第２貫通材と、が設置されていることを特徴とする軒天防火構造。
【請求項５】
請求項４に記載の軒天防火構造において、
前記水切り部材の上端は、前記軒先部材の端部と係合されていることを特徴とする軒天防火構造。
【発明の詳細な説明】
【０００１】
【発明の属する技術分野】
本発明は、火災時に軒先の通気部を閉鎖する軒天防火構造に関する。
【０００２】
【背景技術】
住宅等の建物、屋根内の小屋裏空間は換気が必要であり、この要求に対して軒天に換気口を設けることなどによって対応している。同時に建物には防火性能が必要であり、防火ダンパー部材を用いて、火災時に通気部を適宜閉鎖する構造が求められる。
従来では、天井板と断面コ字形の天井板支持金具との間に換気用空気通路を形成し、この通路内に熱膨張するグラファイト系の不燃性体積膨張材を配置した防火ダンパー部材（特開平6-73828号公報）がある。
【０００３】
また、不燃材からなる鼻隠し材と、不燃材からなる軒天材との接合位置で軒天材側に断面コ字形の軒先防火通気金物を介装し、この金物と軒天材との間に、耐火性を有するグラファイト系の高温膨張体を配置した防火ダンパー部材（特開平11-241434号公報）がある。
これらの従来例では、火災時に、グラファイト系の発泡材や高温膨張体が膨張することにより、通気部を遮蔽する構造となっている。
【０００４】
【発明が解決しようとする課題】
しかしながら、従来例１及び従来例２は、軒天板の端部に係合する構造であり、専用の折り曲げ金具等を基材として、その表面に高温膨張体を固定しておくものである。
そのため、基材の形状や構造が複雑であり、その部品の種類が増えて量産メリットが得られないという問題がある。その上、基材が複雑な折り曲げ構造を有しており、この折り曲げた箇所の奥の方に発泡材や膨張体を設置する場合には確実に固定することが困難であるという問題がある。
【０００５】
本発明の目的は、軒内部への延焼を有効に防止し、かつ簡単に取り付けることができる軒天防火構造を提供することである。
【０００６】
【課題を解決するための手段】
そのため、本発明は、基材の表面に軒先部材の通気部に対向する位置に高温膨張体を固定して前記目的を達成しようとするものである。
具体的には、本発明の軒天防火構造１は、添付した図面を参照して説明すると、軒先部分３から軒下の外壁４の近傍まで延びる軒先部５及び外壁４に対して所定間隔をおいて対向配置された垂直壁部５Ｃを有する軒先部材６と、前記外壁４に固定された平坦な長尺状部材の基材１０及び前記基材１０の長手方向に沿って固定された高温膨張体１１を有する防火ダンパー部材１２と、を備え、前記垂直壁部５Ｃには前記垂直壁部５Ｃと前記外壁４との間の空間と連通する通気部７が形成され、前記高温膨張体１１は、前記基材１０の表面における前記通気部７に対向する位置に配置されたことを特徴とする。
従来では、準防火地域で軒のでない建物（通称、軒ゼロ）が要求される場合、外部フードを設けることで小屋裏換気に対応していたが、前述の構成の本発明では、軒先部材の通気部に対応して防火ダンパー部材を取り付けることで、軒ゼロ建物に対応した軒天防火構造を容易に形成することができる。
【０００７】
この構成の発明では、長尺状部材で形成された基材の表面に長手方向に沿って固定された高温膨張体を設けるという簡単な構成によって防火ダンパー部材を得るために、部品数を最小限にすることができる。したがって、防火ダンパー部材を量産する場合でも部品の数が少ないのでコストを大幅に低減することができる。
また、部品数を減らすことにより防火ダンパー部材の大きさも小さくすることができるので、狭いスペースでも簡単に取り付けることができ、取付作業の効率が向上する。
【０００８】
ここで、本発明では、基材に長手方向の立上がり部１５が形成されている構成が好ましい。
この構成の発明では、長手方向に基材の平面と直角に立っている立上がり部によって防火ダンパー部材全体の強度が増大される。
【０００９】
この立上がり部は、基材の長手方向辺縁を折り曲げて形成されていることが好ましい。
この構成では、長手方向辺縁を折り曲げる簡単な加工で、構造が簡素であって強度が大きな防火ダンパー部材を得ることができる。
【００１１】
ここで、軒天防火構造にかかる本発明では、基材と外壁との間に配置され外壁の表面に配置される外壁材４Ｂの上端を覆う水切り部材１８と、この水切り部材のみを貫通して外壁４に固定される第１貫通材３１と、基材及び水切り部材を貫通して外壁に固定される第２貫通材３２とが設置されていることが好ましい。
この構成の発明では、ねじや釘等からなる第１貫通材で水切り部材を固定することで、水切り部材の位置ずれを防止し、その後、ねじや釘等からなる第２貫通材で水切り部材及び基材の双方を固定する。そのため、水切り部材及び基材を簡易に取り付けることができる。
【００１２】
また、本発明では、水切り部材の上端は、軒先部材の端部と係合されていることが好ましい。
この構成の発明では、水切り部材の上端と軒先部材の端部との位置決めが簡単に行われるため、両者の取付作業が容易となる。
【００１３】
【発明の実施の形態】
以下に本発明の実施形態を図面を基づいて説明する。
図１及び図２には本発明の第１実施形態が示されている。
図１において、第１実施形態の軒天防火構造１の全体構成が示されている。この軒天防火構造１は、軒先部材６を備えており、この軒先部材６は、屋根２の軒先部分３から軒下の外壁４近傍まで延びる軒先部５と、外壁４に対して所定間隔をおいて対向配置された通気部７とを備えて構成されている。
【００１４】
外壁４は、外壁パネル本体４Ａと、この外壁パネル本体４Ａの表面に設けられた外壁材４Ｂとを備えている。
この外壁材４Ｂはパネル本体４Ａの全面に取り付けられた第１外壁材４１の表面に第２外壁材４２を貼付した構造であり、この第２外壁材４２は第１外壁材４１より、上端位置が低く形成されている。
【００１５】
軒先部５は、屋根２の軒先に設けられた雨樋部材５Ａと、この雨樋部材５Ａと外壁４との間に設けられ屋根２に取り付けられた鼻隠し部材５Ｂとを備えており、この鼻隠し部材５Ｂは、外壁４と対向する部分に外壁４と所定寸法離れて形成される垂直壁部５Ｃを有する。この垂直壁部５Ｃには通気部７が形成されている。
鼻隠し部材５Ｂは、その上部が屋根２の小屋裏（図示せず）と連通しており、側部が通気部７を通じて外部と連通している。そのため、空気は図１中の点線Ｐによって示された経路を通って換気されることになる。
【００１６】
外壁４の第１外壁材４１には、防火ダンパー部材１２が設けられ、この防火ダンパー部材１２と第１外壁材４１との間には耐火性を有する水切り部材１８が設けられている。
防火ダンパー部材１２は、第１外壁材４１に釘２１Ａ及びビス２１Ｂで固定された基材１０と、この基材１０の表面における通気部７に対向する位置に固定された高温膨張体１１とを有する。
【００１７】
防火ダンパー部材１２の詳細な構造が図２に示されている。
図２において、基材１０は、耐火性があり、かつ、平坦な長尺状部材で形成されており、この基材１０の表面の長手方向に沿って長尺状の高温膨張体１１が固定されている。
この高温膨張体１１は、例えば、グラファイト系の素材によって形成されており、火災時等において温度が上昇すると、膨張し、対向する垂直壁部５Ｃに当接し、空気の通路を遮断するようになっている（図１参照）。
【００１８】
基材１０には、その長手方向に沿って立上がり部１５が形成されている。この立上がり部１５は、基材１０の長手方向下辺縁を直角に折り曲げ形成されるのが好ましい。この立ち上がり部１５は、下方から高温膨張体１１を見えないようにする目隠しとしての機能も合わせ持つもので、その幅寸法は垂直壁部５Ｃと外壁４との間の寸法より長い（図１参照）。
基材１０の任意の複数の箇所に防火ダンパー部材１２を釘２１Ａ及びビス２１Ｂで外壁４に固定するためのねじ挿通孔１６が形成されている。
【００１９】
図１において、水切り部材１８は、第１外壁材４１に釘２１Ａ及びビス２１Ｂで取り付けられており、その下端部が第２外壁材４２の上端縁を覆うように折り曲げ形成されている。
水切り部材１８は、その上端が折り返して形成されており、この折り返し部分に鼻隠し部材５Ｂの上端部及び基材１０の上端部がそれぞれ係合されている。
【００２０】
したがって、第１実施形態によれば、次の作用効果を奏することができる。
（１）防火ダンパー部材１２は、平坦な長尺状部材で形成された基材１０の表面に長手方向に沿って高温膨張体１１を固定した構成としたので、最も単純かつ簡単な構成とすることができる。そのため、防火ダンパー部材１２を最小限の部品によって構成することができ、量産する場合でも部品の数が少ないのでコストを大幅に低減することができる。
（２）防火ダンパー部材１２の構造を単純化することで、同時に防火ダンパー部材１２の大きさを小さくすることができることになり、複雑な折り曲げ構造の奥の方に設置する場合でも、簡単に配置することができて取付作業の効率が向上される。
【００２１】
（３）基材１０の長手方向に立上がり部１５を直角に折り曲げ形成したので、防火ダンパー部材１２を簡易な構造で全体強度を増大することができる。
（４）この立上がり部１５は、高温膨張体１１を覆うように、その幅寸法が垂直壁部５Ｃと外壁４との間の寸法より長く形成されているため、高温膨張体１１を隠すことができる。
【００２２】
（５）軒天防火構造１を、軒先部分３から軒下の外壁４の近傍まで延びる軒先部５及び外壁４に対して所定間隔をおいて対向配置された通気部７とを有する軒先部材６と、外壁４に固定された基材１０及びこの基材１０の表面の通気部７に対向する位置に固定された高温膨張体１１を有する防火ダンパー部材１２と、を備えて構成したから、軒先部材６の通気部７に対応して防火ダンパー部材１２を取り付けることで、軒ゼロ建物に対応した軒天防火構造を容易に形成することができる。
（６）水切り部材１８の上端は、軒先部材６の端部と係合されているから、水切り部材１８の上端と軒先部材６の端部との位置決めが簡単に行われるため、両者の取付作業が容易となる。
【００２３】
次に、本発明の第２実施形態を図３及び図４を参照して説明する。この第２実施形態は基材１０の形状並びに取付構造が第１実施形態とは異なるもので、他の構造は第１実施形態と略同じである。なお、第２実施形態において、第１実施形態と同様の構成については、第１実施形態と同様の参照符号を付し説明を省略又は簡略する。
図３において、第２実施形態の防火ダンパー部材２２は、外壁４に取り付けられた基材２０と、この基材２０の表面における通気部７の対向位置に固定された高温膨張体１１とを有する。
【００２４】
基材２０は、図４に示される通り、平坦な長尺状部材で形成されており、この基材１０の表面にその長手方向に沿って高温膨張体１１が配置される。基材２０には、第１実施形態の基材１０と同様に、ねじ挿通孔１６が形成されている。
図３において、水切り部材１８が基材２０と外壁４との間に配置されている。水切り部材１８のみを第１貫通材３１が貫通して外壁４に固定され、基材２０及び水切り部材１８の双方を貫通して外壁４に第２貫通材３２が固定されている。図３では、第１貫通材３１が釘から形成され、第２貫通材３２がビスから構成されているが、第１貫通材３１はビス、ねじから構成されてもよく、第２貫通材３２は釘、ねじから構成されてもよい。
【００２５】
このような第２実施形態によれば、第１実施形態の（１）（２）（５）の作用効果に加えて次の効果が得られる。
（７）基材２０と外壁４との間に配置され外壁４の表面に配置される外壁材４Ｂの上端を覆う水切り部材１８と、この水切り部材１８のみを貫通して外壁４に固定される第１貫通材３１と、基材２０及び水切り部材１８を貫通して外壁４に固定される第２貫通材３２とが設置されているから、第１貫通材３１で水切り部材１８を固定することで、水切り部材１８の位置ずれを防止し、その後、第２貫通材３２で水切り部材１８及び基材２０の双方を固定することで、水切り部材１８及び基材２０を容易に外壁４に取り付けることができる。
【００２６】
次に、第３実施形態を図５を参照して説明する。第３実施形態は第１実施形態に比べて基材１０の取付構造が相違するものであり、他の構造は第１実施形態と同じである。なお、第３実施形態において、第１実施形態と同様の構成については、第１実施形態と同様の参照符号を付し説明を省略又は簡略する。
図５において、第３実施形態の防火ダンパー部材１２は、前記基材１０及び高温膨張体１１を備えて構成されており、基材１０と外壁４との間には水切り部材１８が設けられている。
【００２７】
水切り部材１８のみを第１貫通材３１が貫通して外壁４に固定され、基材１０及び水切り部材１８の双方を貫通して外壁４に第２貫通材３２が固定されている。図５では、第１貫通材３１及び第２貫通材３２の双方が釘から形成されているが、これらは、ビス、ねじから構成されてもよい。
したがって、第３実施形態では、第１実施形態と第２実施形態との双方の作用効果（１）から（７）を得ることができる。
【００２８】
次に、第４実施形態を図６を参照して説明する。この第４実施形態は、従来型の軒天板式へ本発明の防火ダンパー部材を適用した例である。なお、第４実施形態において、第２実施形態と同様の構成については、第２実施形態と同様の参照符号を付し説明を省略又は簡略する。
図６において、軒天部材４０の端部に取り付けられた軒天端部材４０Ａは、例えば、アルミ押出し成形によって形成され、それぞれ断面コ字形の第１の支持金具４１と、この支持金具４１と組み合わせられる上部の第２の支持金具４２とを含み構成される。
【００２９】
この第１の支持金具４１に取付られた軒天部材４０の端部は、釘５１によって天井部材５１Ａに取り付けられている。支持金具４２の側面には通気部７が設けられ、外気は、支持金具４２と、支持金具４１と、防火ダンパー部材１２とによって包囲形成された通路Ｓを通って換気されるようになっている。
防火ダンパ２２の基材２０は、平坦な長尺状部材で形成されており、この基材２０の表面にその長手方向に沿って固定された高温膨張体１１を有する。火災時等の温度が上昇されると、高温膨張体１１が膨張し、対向する垂直壁部５Ｃに当接し、空気の通路を遮断するようになっている。
防火ダンパー部材２２には、基材２０の上方の任意の複数の場所に防火ダンパー部材２２を外壁４に固定するためのねじ挿通孔１６が形成されている。防火ダンパー部材２２の取付けは、ねじ３３をねじ挿通孔１６を通して外壁４を貫通するように取り付ける。
【００３０】
このような第４実施形態によれば、第２実施形態における作用効果に加えて次のような効果が得られる。
（８）従来の軒天板式へ本発明の換気構造を応用することによって構造が簡単で効率よく換気できる防火用の天井換気構造を形成できる。
【００３１】
次に、第５実施形態を図７を参照して説明する。
第５実施形態は第２実施形態と比べて基材の形状が異なるもので、他の構造は第２実施形態と同じである。なお、第５実施形態において、第２実施形態と同様の構成については、第２実施形態と同様の参照符号を付し説明を省略又は簡略する。
図７において、第５実施形態の防火ダンパー部材５２は、長尺状の基材５０と、この基材５０の表面に長手方向に沿って設けられた高温膨張体１１とを備えて構成されている。
【００３２】
基材５０は、平坦な長尺状部材で形成されており、高温膨張体１１と平行に断面半円状の補強用リブ６０が形成されている。補強用リブ６０の上方には、任意の複数の場所に防火ダンパー部材５２を外壁４に固定するためのねじ挿通孔１６が形成されている。補強用リブ６０を有する基材５０はプレス加工によって一体形成される。なお、第５実施形態では、補強用リブ６０の形状は図７で示されるものに限定されるものではなく、例えば、断面矩形状のものや、断面三角形状のものでもよい。
【００３３】
したがって、第５実施形態では、第２実施形態の全ての作用効果を奏する他に、次の作用効果を奏することができる。
（９）基材５０に補強用リブ６０を形成したので、防火ダンパー部材５２の強度を大きなものにできる。
【００３４】
なお、本発明は前述の実施形態の形態に限定されるものではなく、本発明の目的を達成できる範囲での変形、改良等は、本発明に含まれるものである。
例えば、本発明では、基材１０，２０，５０と高温膨張体１１との相対的な位置関係は、対向して配置される通風部との相対的な位置関係において適宜決定される。
また、本発明は、建物ユニット工法、在来工法、軸組工法等の種々の工法によって建築された建物に適用することが可能である。
【００３５】
【発明の効果】
以上に述べたように、本発明によれば、次のような効果がある。
請求項１に記載の軒天防火構造の発明によれば、軒先部分から軒下の外壁の近傍まで延びる軒先部及び外壁に対して所定間隔をおいて対向配置された通気部とを有する軒先部材と、外壁に固定された基材及びこの基材の表面の通気部に対向する位置に固定された高温膨張体を有する防火ダンパー部材と、を備えた構成であるため、軒先部材の通気部に対応して防火ダンパー部材を取り付けることで、軒ゼロ建物に対応した軒天防火構造を容易に形成することができる。
また、平坦な長尺状部材で形成された基材と、この基材の表面にその長手方向に沿って固定された高温膨張体と、を有する構成であるから、長尺状部材で形成された基材の表面に長手方向に沿って固定された高温膨張体を設けるという簡単な構成によって防火ダンパー部材を構成するために、部品数を最小限にすることができる。したがって、防火ダンパー部材を量産する場合でも部品の数が少ないのでコストを大幅に低減することができる。
【００３６】
請求項２に記載の本発明によれば、請求項１の構成に加え、基材に長手方向の立上がり部が形成された構成であるから、長手方向に基材の平面から立っている立上がり部によって防火ダンパー部材全体の強度が増大される。
請求項３に記載の本発明によれば、請求項２の構成に加え、立上がり部は、基材の長手方向辺縁を折り曲げて形成されている構成であるから、長手方向辺縁を折り曲げる簡単な加工で、構造が簡素であって強度が大きな防火ダンパー部材を得ることができる。
【００３８】
請求項４に記載の本発明では、請求項３記載の構成に加えて、基材と外壁との間に配置され外壁の表面に配置される外壁材の上端を覆う水切り部材と、この水切り部材のみを貫通して外壁に固定される第１貫通材と、基材及び水切り部材を貫通して外壁に固定される第２貫通材とが設置されている構成であるため、ねじや釘等からなる第１貫通材で水切り部材を固定することで、水切り部材の位置ずれを防止し、その後、ねじや釘等からなる第２貫通材で水切り部材及び基材の双方を固定する。そのため、水切り部材及び基材を簡易に取り付けることができる。
【００３９】
請求項５に記載の本発明では、請求項４に記載の構成に加え、水切り部材の上端は、軒先部材の端部と係合されている構成であるため、水切り部材の上端と軒先部材の端部との位置決めが簡単に行われることになり、両者の取付作業が容易となる。
【図面の簡単な説明】
【図１】本発明の第１実施形態が適用される小屋裏軒天の断面図である。
【図２】本発明の第１実施形態が適用される防火ダンパー部材の斜視図である。
【図３】本発明の第２実施形態が適用される小屋裏軒天の断面図である。
【図４】本発明の第２実施形態が適用される防火ダンパー部材の斜視図である。
【図５】本発明の第３実施形態が適用される小屋裏軒天の断面図である。
【図６】従来型の軒天板式へ取り付けられた本発明の第４実施形態の防火ダンパー部材を示す断面図である。
【図７】本発明の第５実施形態の防火ダンパー部材を示す斜視図である。
【符号の説明】
４      外壁
４Ｂ      外壁材
５      軒先部
６      軒先部材
７      通気部
１０，２０，５０      基材
１１      高温膨張体
１２，２２，５２      防火ダンパー部材
１５      立上がり部
１６      挿通孔
１８  水切り部材
６０      補強用リブ
【図１】
0004851662.tif 000002
【図２】
0004851662.tif 000003
【図３】
0004851662.tif 000004
【図４】
0004851662.tif 000005
【図５】
0004851662.tif 000006
【図６】
0004851662.tif 000007
【図７】
0004851662.tif 000008